(57)【要約】 【課題】コンクリートが打設されるまでの間、あるいはコンクリート打設中に養生シートが堰板内面から剥がれてしまわないように、かつ脱型の際には、コンクリート側に残置されるように、該養生シートを堰板内面に取り付ける。【解決手段】本発明に係るコンクリートの養生方法においては、養生シート５を型枠３を構成する堰板１の内面４に先行配置し、型枠３が立て込まれた状態で該型枠の内側に拡がる打設領域にコンクリートを打設し、該コンクリートが所定の強度を発現した後、養生シート５がコンクリート側に残置されるように型枠３を取り外すが、養生シート５を配置するにあたっては、養生シート５が堰板１の内面４に先行配置された状態で該堰板に設けられた貫通孔６を介して減圧処理を行うとともに、該減圧状態を少なくともコンクリート打設終了まで維持し、型枠３の取外し前に上述の減圧状態を解除する。【選択図】  図１
2015218451.tif 000002
【特許請求の範囲】
【請求項１】
コンクリートを養生する養生シートを型枠を構成する堰板の内面に先行配置し、前記型枠が立て込まれた状態で該型枠の内側に拡がる打設領域にコンクリートを打設し、該コンクリートが所定の強度を発現した後、前記養生シートがコンクリート側に残置されるように前記型枠を取り外すコンクリートの養生方法において、
前記養生シートが前記堰板の内面に先行配置された状態で前記堰板に設けられた貫通孔を介して減圧処理を行うとともに、該減圧状態を少なくともコンクリート打設終了まで維持し、
前記型枠の取外し前に前記減圧状態を解除することを特徴とするコンクリートの養生方法。
【請求項２】
コンクリートを養生する養生シートを型枠を構成する堰板の内面に先行配置し、前記型枠が立て込まれた状態で該型枠の内側に拡がる打設領域にコンクリートを打設し、該コンクリートが所定の強度を発現した後、前記養生シートがコンクリート側に残置されるように前記型枠を取り外すコンクリートの養生方法において、
前記養生シートを配置する際、該養生シートを前記堰板の内面に引張保持させることが可能な分子間力を有する液体をそれらの間に介在させることを特徴とするコンクリートの養生方法。
【請求項３】
前記液体を水若しくはグリセリン又は潤滑剤とする請求項２記載のコンクリートの養生方法。
【請求項４】
前記養生シートを配置する際、該養生シートの周縁を前記型枠に固定する請求項１乃至請求項３のいずれか一記載のコンクリートの養生方法。
【請求項５】
前記養生シートの側面のうち、コンクリートが打設される側に凹凸を設け又はコンクリート打設開始までに該養生シートのコンクリート打設側に接着剤を塗布する請求項１乃至請求項３のいずれか一記載のコンクリートの養生方法。
【発明の詳細な説明】
【技術分野】
【０００１】
本発明は、コンクリート工事あるいは鉄筋コンクリート工事を行う際に採用されるコンクリートの養生方法に関する。
【背景技術】
【０００２】
コンクリート工事あるいは鉄筋コンクリート工事においては、打設されたコンクリートに予定通りの性能を発揮させるべく、コンクリート打設後に適切な養生を施すことが必要不可欠であり、特に、セメントの水和反応に必要な水が乾燥で不足することがないよう、散水、噴霧、養生シートの被覆といった湿潤養生を行うことが重要となる。
【０００３】
一方、コンクリートを打設する際は、打設領域を取り囲むように予め型枠が立て込まれるが、立て込まれた型枠をコンクリートの養生手段としてそのまま長期間保持することは工事の効率上難しく、所定の強度発現後、すみやかに脱型されるのが通例である。
【０００４】
そのため、脱型によって露出したコンクリート面を別途養生する必要が生じるが、養生作業だけのために足場が必要になったり、脱型作業と交錯して作業効率が低下したりといった状況が生じるため、脱型後の養生シートの被覆は煩雑な作業となる。
【０００５】
このような状況下、型枠を構成する堰板の側面のうち、コンクリートが打設される側（以下、単に内面）に養生シートが予め取り付けられた状態でコンクリートを打設し、所定強度が発現した後、該養生シートがコンクリート側に残置されるように型枠を取り外す養生方法が提案されており、かかる構成によれば、脱型後に養生シートをコンクリート面に取り付ける時間や手間を省略できるため、コンクリートの養生作業が遅滞し、ひいてはコンクリートの品質低下を招くといった事態を未然に回避することが可能となる。
【先行技術文献】
【特許文献】
【０００６】
【特許文献１】特開２０１４−２００６９号公報
【特許文献２】特開平９−１５８４７２号公報
【発明の概要】
【発明が解決しようとする課題】
【０００７】
しかしながら、コンクリート打設が終了するまで養生シートが堰板から剥がれないよう、該堰板の内面に確実に取り付けておくことと、脱型時にコンクリート側に確実に残置されるようにすることを同時に満足させることは本来的に困難であり、コンクリート側への残置性を高めようとすると、コンクリートが打設されるまでの間、あるいはコンクリート打設中に養生シートが堰板から剥がれてしまい、接着剤等で堰板内面への取付け強度を高めようとすると、脱型の際、コンクリート側に残置されることなく型枠とともに分離されてしまうという問題を生じていた。
【課題を解決するための手段】
【０００８】
本発明は、上述した事情を考慮してなされたもので、コンクリート打設が終了するまでの間、養生シートが堰板内面から剥がれたりずれたりしないように、かつ脱型の際には、コンクリート側に残置されるように、該養生シートを堰板内面に取り付けることが可能なコンクリートの養生方法を提供することを目的とする。
【０００９】
上記目的を達成するため、本発明に係るコンクリートの養生方法は請求項１に記載したように、コンクリートを養生する養生シートを型枠を構成する堰板の内面に先行配置し、前記型枠が立て込まれた状態で該型枠の内側に拡がる打設領域にコンクリートを打設し、該コンクリートが所定の強度を発現した後、前記養生シートがコンクリート側に残置されるように前記型枠を取り外すコンクリートの養生方法において、  
前記養生シートが前記堰板の内面に先行配置された状態で前記堰板に設けられた貫通孔を介して減圧処理を行うとともに、該減圧状態を少なくともコンクリート打設終了まで維持し、
前記型枠の取外し前に前記減圧状態を解除するものである。
【００１０】
また、本発明に係るコンクリートの養生方法は、コンクリートを養生する養生シートを型枠を構成する堰板の内面に先行配置し、前記型枠が立て込まれた状態で該型枠の内側に拡がる打設領域にコンクリートを打設し、該コンクリートが所定の強度を発現した後、前記養生シートがコンクリート側に残置されるように前記型枠を取り外すコンクリートの養生方法において、
前記養生シートを配置する際、該養生シートを前記堰板の内面に引張保持させることが可能な分子間力を有する液体をそれらの間に介在させるものである。
【００１１】
また、本発明に係るコンクリートの養生方法は、前記液体を水若しくはグリセリン又は潤滑剤とするものである。
【００１２】
また、本発明に係るコンクリートの養生方法は、前記養生シートを配置する際、該養生シートの周縁を前記型枠に固定するものである。
【００１３】
また、本発明に係るコンクリートの養生方法は、前記養生シートの側面のうち、コンクリートが打設される側に凹凸を設け又はコンクリート打設開始までに該養生シートのコンクリート打設側に接着剤を塗布するものである。
【００１４】
［第１の発明］
第１の発明に係るコンクリートの養生方法においては、コンクリートを養生する養生シートを型枠を構成する堰板の内面に先行配置し、次いで、型枠が立て込まれた状態で該型枠の内側に拡がる打設領域にコンクリートを打設した後、コンクリートが所定の強度を発現してから養生シートがコンクリート側に残置されるように型枠を取り外すが、養生シートを配置するにあたっては、少なくともコンクリート打設開始までに、望ましくは型枠立込み開始までに、養生シートが堰板の内面に先行配置された状態で該堰板に設けられた貫通孔を介して減圧処理を行う。
【００１５】
このようにすると、養生シートと堰板内面との間に介在していた空気が上述の貫通孔を介して吸引除去され、養生シートはその背面から作用する大気圧によって堰板内面に密着するので、コンクリートの投入時の衝撃や、場合によっては型枠立込み時の振動が養生シートに加わっても、該養生シートが堰板内面から剥がれるおそれがなくなる。
【００１６】
上述した減圧状態は、少なくともコンクリート打設終了までは維持し、その後、型枠を取り外す前までの適当な時期に解除する。
【００１７】
このようにすると、養生シートと堰板内面との間に空気が入り込み、養生シートは堰板内面から分離しやすくなるので、この状態で型枠を取り外すことにより、養生シートは、コンクリート側に確実に残置する。
【００１８】
［第２の発明］
また、第２の発明に係るコンクリートの養生方法においては、コンクリートを養生する養生シートを型枠を構成する堰板の内面に先行配置し、次いで、型枠が立て込まれた状態で該型枠の内側に拡がる打設領域にコンクリートを打設した後、コンクリートが所定の強度を発現してから養生シートがコンクリート側に残置されるように型枠を取り外すが、養生シートを配置するにあたっては、該養生シートを堰板の内面に引張保持させることが可能な分子間力を有する液体をそれらの間に介在させる。
【００１９】
このようにすると、液体が持つ固有の分子間力によって養生シートが堰板の内面に付着するので、コンクリートの投入時の衝撃や、場合によっては型枠立込み時の振動が養生シートに加わっても、該養生シートが堰板内面から剥がれるおそれがなくなる。
【００２０】
一方、コンクリート打設後は、コンクリートの固化による接着力がコンクリート側から養生シートに作用する。
【００２１】
そのため、この状態で型枠を取り外せば、養生シートは、コンクリートの固化による接着力でコンクリート側に確実に残置する。なお、分子間力による引寄せ力が、コンクリートの固化による接着力に比べて無視できない場合には、脱型の際、型枠をコンクリート面に対して垂直に取り外すのではなく、できるだけ平行になるように取り外せばよい。
【００２２】
上述した所定の液体は、養生シートを堰板の内面に引張保持させることが可能な分子間力を有する限り、どのようなものでもかまわないが、常温下で分子間力が比較的大きなもの、例えば水やグリセリンで構成するのが望ましい。
【００２３】
一方、分子間力はそれほど大きくないが、グリースや潤滑油といった潤滑剤で上述の液体を構成した場合、脱型時に養生シートと堰板内面との剥離性が向上し、ひいてはコンクリート側への残置性を高めることができる。
【００２４】
［第１の発明及び第２の発明に共通する事項］
養生シートは、コンクリート打設前あるいは打設の際、第１の発明では、堰板内面との間に介在する空気を吸引除去することで該堰板内面に密着させることが可能であり、第２の発明では、液体が持つ固有の分子間力によって堰板の内面に付着させておくことが可能であるが、その周縁、特に隅部については堰板内面から剥離するとともに、該剥離による空気の侵入によって剥離範囲がさらに拡大することが懸念される。
【００２５】
かかる場合には、養生シートの周縁を型枠に固定するようにすればよい。
【００２６】
養生シートの型枠への固定は、例えば養生シートの周縁を型枠周縁に巻き付け、その上から所定の固定具で狭着することで可能である。
【００２７】
一方、養生シートは、脱型の際、第１の発明及び第２の発明のいずれにおいても、コンクリートの固化による接着力がコンクリート側から別途作用するとともに、第１の発明では、減圧状態の解除によって養生シートと堰板内面との間に空気が入り込むことでいっそう堰板内面から分離しやすくなるが、養生シートの側面のうち、コンクリートが打設される側に凹凸を設け又はコンクリート打設開始までに該養生シートのコンクリート打設側に接着剤を塗布するようにすれば、養生シートをより確実にコンクリート側に残置させることが可能となる。
【図面の簡単な説明】
【００２８】
【図１】第１実施形態に係るコンクリートの養生方法の実施手順を示した図であり、(a)は全体鉛直断面図、(b)は詳細鉛直断面図。
【図２】引き続き第１実施形態に係るコンクリートの養生方法の実施手順を示した鉛直断面図。
【図３】変形例に係るコンクリートの養生方法を示した鉛直断面図。
【図４】第２実施形態に係るコンクリートの養生方法の実施手順を示した鉛直断面図。
【図５】引き続き第２実施形態に係るコンクリートの養生方法の実施手順を示した鉛直断面図。
【発明を実施するための形態】
【００２９】
以下、本発明に係るコンクリートの養生方法の実施の形態について、添付図面を参照して説明する。なお、従来技術と実質的に同一の部品等については同一の符号を付してその説明を省略する。
【００３０】
［第１実施形態］
図１及び図２は、本実施形態に係るコンクリートの養生方法の実施手順を示した鉛直断面図である。これらの図に示すように、本実施形態に係るコンクリートの養生方法においては、まず、図１(a)に示すように堰板１及び該堰板が取り付けられた矩形フレーム２からなる型枠３を準備する。
【００３１】
堰板１には予め貫通孔６を設けておく。貫通孔６は、後述する減圧作用が堰板１のコンクリート側にくまなく及ぶよう、縦横２方向に所定のピッチで設けるようにすればよい。なお、貫通孔６は、セパレータ用の孔を用いることが可能である。
【００３２】
次に、堰板１の側面のうち、コンクリート側となる面４（同図では左側。以下、内面４）にコンクリートを養生する養生シート５を先行配置する。
【００３３】
養生シート５は、市販のものから適宜選択することが可能であり、例えば住友スリーエム株式会社から「コンクリート保水養生テープ」の名称で販売されている養生シートを用いることができる。
【００３４】
次に、同図(b)に示すように、養生シート５が堰板１の内面４に先行配置された状態で、堰板１に設けられた貫通孔６を介して減圧処理を行う。
【００３５】
減圧処理を行うにあたっては、貫通孔６に逆止弁７を気密に取り付け、該逆止弁にホース８を介して連通接続された図示しない真空ポンプを作動させればよい。
【００３６】
このようにすると、養生シート５と堰板１の内面４との間に介在していた空気は、貫通孔６を介して吸引除去され、養生シート５は、その背面から作用する大気圧によって堰板１の内面４に密着する。
【００３７】
逆止弁７は、型枠３を取り外すまで養生シート５と堰板１の内面４との間の減圧状態が維持されるよう、該脱型時まで貫通孔６に取り付けたままとし、減圧の程度が低下するようであれば、必要に応じて真空ポンプを適宜作動させればよい。
【００３８】
次に、図２(a)に示すように、型枠３を所定の位置に立て込み、その内側に拡がる打設領域、同図であれば左側に拡がる領域にコンクリート１１を打設する。
【００３９】
ここで、養生シート５は上述したように、堰板１の内面４との間の減圧状態が維持されることによって背面から大気圧が作用するとともに、コンクリート打設後は、それに加えてコンクリート圧が作用するため、堰板１の内面４への密着状態が継続され、型枠３を立て込む際の振動や、コンクリート１１の投入時の衝撃が加わっても、堰板１の内面４から剥がれたりずれたりするおそれはない。
【００４０】
コンクリート１１が所定の強度を発現したならば、同図(b)に示すように、堰板１の貫通孔６に取り付けてあった逆止弁７を開いて減圧状態を解除し、該貫通孔から取り外す。
【００４１】
このようにすると、養生シート５と堰板１の内面４との間には、貫通孔６を介して空気が流入するため、コンクリート１１の固化によって養生シート５のコンクリート側から作用するる接着力とも相俟って、該養生シートは、堰板１の内面４から分離しやすくなるので、この状態で型枠３を取り外せば、養生シート５は、コンクリート１１の側に確実に残置する。
【００４２】
養生シート５は、コンクリート１１の養生が十分な期間にわたって行われた後、該コンクリートから剥がして撤去する。
【００４３】
以上説明したように、本実施形態に係るコンクリートの養生方法によれば、養生シート５を配置するにあたり、該養生シートが堰板１の内面４に先行配置された状態で該堰板に設けられた貫通孔６を介して減圧処理を行うようにしたので、養生シート５を堰板１の内面４に密着させることが可能となり、かくして型枠３を立て込む際の振動やコンクリート１１の投入時の衝撃によって養生シート５が堰板１の内面４から剥がれるのを未然に防止することができるとともに、型枠３を取り外す際には、上述の減圧状態を解除するようにしたので、養生シート５は、堰板１の内面４との間に空気が流入することで該内面から分離しやすくなり、かくして養生シート５をコンクリート側に確実に残置させることが可能となる。
【００４４】
本実施形態では、養生シート５を堰板１と同様の平面形状となるように形成するとともに、該養生シートを減圧による大気圧の押付け作用のみで堰板１の内面４に密着させるようにしたが、これに代えて、養生シート５を堰板１よりも一回り大きく形成し、図３に示すように、養生シート５の周縁５ａを型枠３の周縁に巻き付けるとともに、その上から固定具３１で型枠３に狭着するようにしてもよい。
【００４５】
かかる構成によれば、養生シート５が、その周縁、特に隅部で堰板１の内面４から剥離するとともに、該剥離による空気の侵入によって養生シート５の剥離範囲がさらに拡大するといったおそれがなくなるため、上述した減圧による作用効果を十分に発揮させることが可能となる。
【００４６】
なお、固定具３１は、養生シート５のコンクリート側への残置に支障なきよう、脱型の際には取り外すようにする。
【００４７】
また、本実施形態では特に言及しなかったが、養生シート５の側面のうち、コンクリートが打設される側に凹凸を設けるようにしたならば、コンクリートが固化することによる接着力がさらに高まり、養生シート５をより確実にコンクリート側に残置させることが可能となる。
【００４８】
なお、上述した凹凸を設ける構成に代えて、養生シート５の側面のうち、同じくコンクリートが打設される側に予め接着剤を塗布し、しかる後、コンクリートを打設するようにしてもよい。
【００４９】
かかる構成によれば、コンクリートの固化による接着力と接着剤による接着力との相乗作用によって、養生シート５をより確実にコンクリート側に残置させることができる。
【００５０】
［第２実施形態］
次に、第２実施形態について説明する。なお、第１実施形態と実質的に同一の部品等については同一の符号を付してその説明を省略する。
【００５１】
図４及び図５は、第２実施形態に係るコンクリートの養生方法の実施手順を示した鉛直断面図である。これらの図に示すように、本実施形態に係るコンクリートの養生方法においては、まず、図４に示すように堰板１ａ及び該堰板が取り付けられた矩形フレーム２からなる型枠３ａを準備する。
【００５２】
堰板１ａは、堰板１とは異なり、貫通孔がない通常の堰板で構成すれば足りる。
【００５３】
次に、堰板１ａの内面４にコンクリートを養生する養生シート４２を先行配置する。
【００５４】
養生シート４２は、後述する液体固有の分子間力によって該養生シートを堰板１ａの内面４に引張保持させることができる程度の軽量かつ軟質の材料が望ましく、例えば、低密度ポリエチレンからなるフィルムシートで構成することができる。
【００５５】
養生シート４２を配置するにあたっては、該養生シートと堰板１ａの内面４との間に水４４を介在させる。
【００５６】
養生シート４２と堰板１ａの内面４との間に水４４を介在させるには、同図に示すように、巻回された状態の養生シート４２を、該養生シートと堰板１ａの内面４との間に水４４を吹き付けながら、堰板１ａの内面４上を転動させ、それらの間に空気が入らないように必要に応じてローラで押さえつつ、堰板１ａの内面４に敷設すればよい。
【００５７】
水４４は、その分子間力によって養生シート４２を堰板１ａに引張保持可能な液体として機能する。ここで、分子間力は、空気との界面では表面張力となって顕れる力であって、水の表面張力は、２０゜Ｃで７２．７５ｍＮ／ｍと、常温で用いることができる液体としては、水銀に次いで高いため（「理科年表」、平成１８年机上板、第３７４頁）、養生シート４２を堰板１ａに引張保持させる液体としては最適である。
【００５８】
次に、図５(a)に示すように、型枠３ａを所定の位置に立て込み、その内側に拡がる打設領域、同図であれば左側に拡がる領域にコンクリート１１を打設する。
【００５９】
ここで、養生シート４２は上述したように、水４４の分子間力によって堰板１ａに引張保持されるとともに、コンクリート打設後は、それに加えてコンクリート圧が作用するため、堰板１ａの内面４への付着状態が継続され、型枠３ａを立て込む際の振動や、コンクリート１１の投入時の衝撃が加わっても、堰板１ａの内面４から剥がれたりずれたりするおそれはない。
【００６０】
コンクリート１１が所定の強度を発現したならば、型枠３ａを取り外す。
【００６１】
ここで、養生シート４２には、コンクリート１１の固化による接着力がコンクリート側から作用しているので、該養生シートは、コンクリート側に確実に残置する。なお、分子間力による引寄せ力が、コンクリート１１の固化による接着力に比べて無視できない場合には、脱型の際、型枠３ａをコンクリート面に対して垂直に取り外すのではなく、できるだけ平行に、同図であれば上方に移動させるようにして取り外せばよい。
【００６２】
養生シート４２は、コンクリート１１の養生が十分な期間にわたって行われた後、該コンクリートから剥がして撤去する。
【００６３】
以上説明したように、本実施形態に係るコンクリートの養生方法によれば、養生シート４２が水４４の分子間力によって堰板１ａに引張保持されるため、養生シート４２を堰板１ａの内面４に付着させることが可能となり、かくして型枠３ａを立て込む際の振動やコンクリート１１の投入時の衝撃によって養生シート４２が堰板１ａの内面４から剥がれるのを未然に防止することができるとともに、型枠３ａを取り外す際には、コンクリート１１の固化による接着力がコンクリート側から作用しているので、養生シート４２をコンクリート側に確実に残置させることが可能となる。
【００６４】
本実施形態では、本発明の液体を水４４で構成したが、これに代えて、グリセリンを用いるようにしてもよい。
【００６５】
かかる構成であっても、グリセリンの表面張力が６３．４ｍＮ／ｍと比較的高いため（同上）、養生シート４２を堰板１ａに引張保持させる液体として十分に機能する。
【００６６】
一方、分子間力はそれほど大きくないが、グリースや潤滑油といった潤滑剤で上述の液体を構成した場合、脱型時に養生シート４２と堰板１ａの内面４との剥離性が向上するため、コンクリート側への残置性を高めることが可能となる。
【００６７】
また、本実施形態では、養生シート４２を堰板１ａと同様の平面形状となるように形成するとともに、該養生シートを水４４の分子間力のみで堰板１ａの内面４に付着させるようにしたが、これに代えて、図３で説明した第１実施形態と同様、養生シート４２を堰板１ａよりも一回り大きく形成し、該養生シートの周縁を型枠３ａの周縁に巻き付けるとともに、その上から固定具３１で型枠３ａに狭着するようにしてもよい。
【００６８】
かかる構成によれば、養生シート４２が、その周縁、特に隅部で堰板１ａの内面４から剥離するとともに、該剥離による空気の侵入によって養生シート４２の剥離範囲がさらに拡大するといったおそれがなくなるため、上述した水４４の分子間力による作用効果を十分に発揮させることが可能となる。
【００６９】
なお、固定具３１は、養生シート４２のコンクリート側への残置に支障なきよう、脱型の際には取り外すようにする。
【００７０】
また、本実施形態では特に言及しなかったが、養生シート４２の側面のうち、コンクリートが打設される側に凹凸を設けるようにしたならば、コンクリートが固化することによる接着力がさらに高まり、養生シート４２をより確実にコンクリート側に残置させることが可能となる。
【００７１】
なお、上述した凹凸を設ける構成に代えて、養生シート４２の側面のうち、同じくコンクリートが打設される側に予め接着剤を塗布し、しかる後、コンクリートを打設するようにしてもよい。
【００７２】
かかる構成によれば、コンクリートの固化による接着力と接着剤による接着力との相乗作用によって、養生シート４２をより確実にコンクリート側に残置させることが可能となる。
【符号の説明】
【００７３】
１，１ａ      堰板
３，３ａ      型枠
４            堰板の内面
５，４２      養生シート
５ａ          養生シートの周縁
６            貫通孔
１１            コンクリート
【図１】
2015218451.tif 000003
【図２】
2015218451.tif 000004
【図３】
2015218451.tif 000005
【図４】
2015218451.tif 000006
【図５】
2015218451.tif 000007